(57)【要約】      （修正有）【課題】電子基板組立生産ラインの作業者やＣＥ等で用いられる静電気除去装置を提供。【解決手段】耳穴挿入型、外耳引っ掛け型、又は首輪型の導電性部材３と、人体の外衣の任意の部分に装着自在は中間固定用部材６と、導電性部材３に一端を固定され他端が中間固定用部材６に着脱自在に固定される取出し用導電性部材４と、一端に中間固定用部材６に着脱自在に固定可能な第１の固定具を有し、他端に電気製品８等の接地側に仮固定可能な第２の固定具を有し、全体として伸縮自在な接地用導電性部材７とを備えた静電気除去装置。【選択図】図１
2010177008.tif 000002
【特許請求の範囲】
【請求項１】
人体の皮膚が外気に露出する部分に着脱可能に接着する皮膚接着部材と、
人体の外衣の任意の部分に装着自在に固定される中間固定用部材と、
前記皮膚接着部材に一端が固定され他端が前記中間固定用部材に着脱自在に固定可能な取出し用導電性部材と、
一端に前記中間固定用部材に着脱自在に固定可能な第１の固定具を有し、他端に電気製品等の接地側に着脱自在に固定可能な第２の固定具を有し、全体として伸縮自在な接地用導電性部材と、
を備えることを特徴とする静電気除去装置。
【請求項２】
前記皮膚接着部材は、耳穴挿入型、外耳引っ掛け型、又は首輪型の導電性部材から成ることを特徴とする請求項１記載の静電気除去装置。
【請求項３】
前記中間固定用部材は、前記人体の前記外衣の腰ベルト等に取り付け可能な形状と大きさを有する導電性のカラビナ、フック、又は巻き付け具等から成ることを特徴とする請求項１記載の静電気除去装置。
【請求項４】
前記取出し用導電性部材は、前記他端に、前記中間固定用部材への固定部として、フック型、挟み込み型、又はボタン型の形状から成る係止部を備えることを特徴とする請求項１記載の静電気除去装置。
【請求項５】
前記接地用導電性部材は、前記第１の固定具として、前記中間固定用部材へ固定可能な形状のフック型、挟み込み型、又はボタン型の固定具を有し、前記第２の固定具として、前記電気製品等の接地側に固定可能なフック型、挟み込み型、又は接着型の固定具を有することを特徴とする請求項１記載の静電気除去装置。
【請求項６】
前記接地用導電性部材は、両端部を除く全体が螺旋型の伸縮部材であることを特徴とする請求項１記載の静電気除去装置。
【請求項７】
前記接地用導電性部材は、一端側及び他端側は共に線状部材で形成され、中間部に前記一端側線状部材及び前記他端側線状部材を同時に巻き込み又は巻き出す巻込・巻出部を有することを特徴とする請求項１記載の静電気除去装置。
【請求項８】
前記接地用導電性部材は、導電性ゴム状部材からなることを特徴とする請求項１記載の静電気除去装置。
【発明の詳細な説明】
【技術分野】
【０００１】
本発明は電子基板組立生産ラインの作業者やＣＥ（Customer Engineer）等で用いられる静電気除去装置に関する。
【背景技術】
【０００２】
従来、電子基板組立生産ラインの作業者が電子基板の組み立てを行う場合や、ＣＥ等が例えば床設置型コンピュータ等の内部の保守作業を行う際に、組立作業者やＣＥの体内に溜まる静電気が、組み立て中の電子基板や保守作業中の装置内の基板に放電することがある。
【０００３】
そのような放電が発生すると、組み立て中の電子基板や保守作業中の装置内の基板内のメモリやコンデンサ等を破壊してしまう恐れがある。そして、そのような電子基板装置内のメモリやコンデンサ等が外部との静電気の放電によって破損する不具合を避けるために用いる人体装着用静電気除去装置が従来技術として知られている（例えば、特許文献１参照）。
【０００４】
ところが、特許文献１の従来技術は、除電装置を人体の手首に取り付けるためのリストバンドに一体に固定された正イオン及び／又は負イオンを発生するイオン発生素子、電源、電池、人体保護のための保護抵抗、などを備えた複雑な構成から成っている。これでは除電装置が高価なものとなって経済的に不利である。
【０００５】
そのような経済的に不利となる点を避けるため、一般的には、手首には単に導電性の器具（一般的にリストバンドと呼ばれる）を巻きつけ、伸縮性のある導電性の線状部材の一端をリストバンドに固定し、他端を保守作業を行う装置本体の接地側端子又はフレームに、フックその他の固定具で取り付けて、組立作業者やＣＥの体内に溜まる静電気を除去する方法も用いられている。
【先行技術文献】
【特許文献】
【０００６】
【特許文献１】特開２００７−０６６６０６号公報
【発明の概要】
【発明が解決しようとする課題】
【０００７】
しかしながら、従来の手首に導電性の器具を巻きつけ、伸縮性のある導電性の線状部材の一端をリストバンドに固定し、他端を保守作業を行う装置本体の接地側端子又はフレームに固定する静電気除去方法は、手首に巻きつけたリストバンドが手の自由な動きを妨げて作業がしづらいという課題がある。
【０００８】
更に、また、作業者が体をひねる動作を伴う作業や、体を上下に屈伸させる動作を伴う作業をするときに、リストバンドに一端が固定されて接地側に延びている導電性の線状部材が、作業中の体や手や腕に絡み付きやすく、作業者の自由な動きを妨げ、作業がしづらいという課題があった。
【課題を解決するための手段】
【０００９】
上記の課題を解決するために、本発明は、人体の皮膚が外気に露出する部分に着脱可能に接着する皮膚接着部材と、人体の外衣の任意の部分に装着自在に固定される中間固定用部材と、上記皮膚接着部材に一端が固定され他端が上記中間固定用部材に着脱自在に固定可能な取出し用導電性部材と、一端に上記中間固定用部材に着脱自在に固定可能な第１の固定具を有し、他端に電気製品等の接地側に着脱自在に固定可能な第２の固定具を有し、全体として伸縮自在な接地用導電性部材と、を備えることを特徴とする静電気除去装置を提供する。
【００１０】
この静電気除去装置において、上記皮膚接着部材は、例えば、耳穴挿入型、外耳引っ掛け型、又は首輪型の導電性部材から成る。また、上記中間固定用部材は、例えば、上記人体の上記外衣の腰ベルト等に取り付け可能な形状と大きさを有する導電性のカラビナ、フック、又は巻き付け具等から成る。また、上記取出し用導電性部材は、例えば、上記他端に、上記中間固定用部材への固定部として、フック型、挟み込み型、又はボタン型の形状から成る係止部を備える。
【００１１】
また、この静電気除去装置において、上記接地用導電性部材は、例えば、上記第１の固定具として、上記中間固定用部材へ固定可能な形状のフック型、挟み込み型、又はボタン型の固定具を有し、上記第２の固定具として、上記電気製品等の接地側に固定可能なフック型、挟み込み型、又は接着型の固定具を有する。
【００１２】
また、この上記接地用導電性部材は、例えば、両端部を除く全体が螺旋型の伸縮部材で構成してもよく、また、例えば、一端側及び他端側は共に線状部材で形成され、中間部に上記一端側線状部材及び上記他端側線状部材を同時に巻き込み又は巻き出す巻込・巻出部を有するように構成してもよく、また、例えば、導電性ゴム状部材で構成してもよい。
【発明の効果】
【００１３】
本発明は、電子基板組立生産ラインの組立作業や床設置型コンピュータ等の内部の保守作業を行う際に静電気除去装置を身に着けて用いても手の自由な動きが阻害されず作業がし易いという効果を奏する。
【図面の簡単な説明】
【００１４】
【図１】本発明の実施例１に係る静電気除去装置の基本的な使用形態を模式的に示す図である。
【図２】(a),(b) は本発明の実施例１に係る静電気除去装置の皮膚接着部材の２例として耳穴挿入型と外耳引っ掛け型の導電性部材、及び取出し用導電性部材の例を模式的に示す図である。
【図３】本発明の実施例１に係る静電気除去装置の中間固定用部材の１例として導電性のカラビナとその使用形態を模式的に示す図である。
【図４】本発明の実施例１に係る静電気除去装置の接地用導電性部材の１例としての構成例を示す図である。
【発明を実施するための形態】
【００１５】
以下、本発明の実施の形態について、詳細に説明する。
【実施例１】
【００１６】
図１は、本発明の実施例１に係る静電気除去装置の基本的な使用形態を模式的に示す図である。
同図に示すように、本例の静電気除去装置は、皮膚接着部材３と、この皮膚接着部材３に一端を固定され他端に固定具を備えた取出し用導電性部材４を備えている。取出し用導電性部材４は導線からなり、その長さは、少なくとも人１の耳２から人１の外衣の任意の部分として選択された腰ベルト５まで延在可能な長さを有する導線である。
【００１７】
また、本例の静電気除去装置は、取出し用導電性部材４の固定具と係合可能な係合部を有し人１の腰ベルト５に固定可能に構成された中間固定用部材６を備えている。更に、本例の静電気除去装置は、上記の中間固定用部材６に係合可能な固定具を一端に有し、他端に例えばコンピュータ等の電気製品８の接地フレームに固定可能な固定具を有する接地用導電性部材７を備えている。
【００１８】
図２(a),(b) は本発明の実施例１に係る静電気除去装置の皮膚接着部材３の２例として耳穴挿入型と外耳引っ掛け型の導電性部材、及び取出し用導電性部材４の例を模式的に示す図である。
【００１９】
同図(a) は耳穴挿入型導電性部材３ａを示し、同図(b) は外耳引っ掛け型導電性部材３ｂを示している。尚、皮膚接着部材３としては、これらに限ることなく、人体の皮膚が外気に露出する部分に着脱可能に接することが出来ればよく、例えば金属製の首輪（首飾り）のような形態のものであってもよい。
【００２０】
また、取出し用導電性部材４（導線）の下端部に取り付けられている導電性フック９は、中間固定用部材６への固定具であり、中間固定用部材６に形成されている係合部に着脱自在に係合して固定可能な形態の導電性部材であれば、フック型、挟み込み型、ボタン型、あるいはその他のどのような形態のものであってもよい。
【００２１】
図３は、本発明の実施例１に係る静電気除去装置の中間固定用部材６の１例として導電性のカラビナとその使用形態を模式的に示す図である。本例では同図に示すように中間固定用部材６としてカラビナを示している。
【００２２】
尚、中間固定用部材６としては、カラビナに限ることなく、人体の外衣の任意の部分に着脱自在に固定できるものであれば、カラビナ以外のフック、或いは巻き付け具のようなものであってもよい。巻き付け具としては、鎖網又は導電性の柔軟部材を腰ベルト５にひと巻きしてボタンを掛ける又は紐等で結びつけるなどして腰ベルト５に固定するようにするとよい。
【００２３】
いずれにしても、中間固定用部材６を腰ベルト５等に固定する位置としては、取出し用導電性部材４が図１に示した人１の手や腕に触れないように引き回して固定できるように、出来得れば腰の後側に固定するとよい。
【００２４】
図３に示す例では、中間固定用部材６としてのカラビナの上部には、図２に示した耳穴挿入型導電性部材３ａ又は外耳引っ掛け型導電性部材３ｂから引き出されている取出し用導電性部材（導線）４の導電性固定具（導電性フック）９が係合して、人１の静電気がカラビナに導通するようになる。
【００２５】
また、図３において、カラビナ６の下部には、図１に示した接地導電性部材７の一端に取り付けられている第１の固定具としての導電性フック部材１１が係合している。これにより、カラビナに導通する人１の静電気は、接地導電性部材７を介してコンピュータ等の電気製品８の接地フレームに導通する。
【００２６】
尚、上記第１の固定具は、フック部材と限ることなく導電性の固定具であればよく、例えば、鰐口グリップのような挟み込み型、又は中間固定用部材６側に予め適宜の係合部を形成して、その係合部に係合可能なボタン型のような固定具であってもよい。
【００２７】
図４は、本発明の実施例１に係る静電気除去装置の接地用導電性部材７の１例としての構成例を示す図である。同図に示すように、接地導電性部材７は、例えば、中間固定用部材６（カラビナ）に引っ掛け可能な第１の固定具としての導電性フック部材９を一端に有する人体側の導線となる第１の導線７ａと、電気製品８の接地フレームに固定可能な第２の固定具としての鰐口グリップ１２を有する接地側の導線となる第２の導線７ｃと、それら第１の導線７ａと第２の導線７ｃとを巻き込み又は巻き出す巻込・巻出部７ｂとで構成される。
【００２８】
これにより、接地導電性部材７は全体として伸縮自在に構成されている。したがって、電子基板組立生産ラインの作業者が電子基板の組み立てを行う場合や、ＣＥ等が例えば床設置型コンピュータ等の内部の保守作業を行う際に、それらの作業を行う人１は、作業に先立って、接地導電性部材７を最適の長さに引き伸ばして電気製品８に接地することができる。
【００２９】
尚、本例では、接地導電性部材７を、中間に巻込・巻出部７ｂを有する伸縮部材で示したが、接地導電性部材７は、これに限ることなく、両端を除く全体が螺旋型の伸縮部材であってもよく、また、導電性ゴム状部材からなるものであってもよい。要は十分な伸縮性を持つ導電性の部材であればよい。
【００３０】
また、第２の固定具としては、鰐口グリップと限るものではなく、電気製品等の接地側に固定可能なものであれば、例えば、フック型、挟み込み型、又は接着型の固定具であってもよい。
【００３１】
このように、本実施例１の静電気除去装置は、人体の静電気を外部に取り出す例えば導線４は、例えば耳２から腰ベルト５までの間で人体に接して又は沿って位置的に固定され、手や腕や足の動作に追随することがなく、したがって、手の自由な動きを阻害せず作業がし易いという効果を奏する。
【産業上の利用可能性】
【００３２】
本発明は、例えば電子基板組立生産ラインの組立作業や床設置型コンピュータ等の内部の保守作業を行う際に身に着けて用いる静電気除去装置に利用することができる。
【符号の説明】
【００３３】
１  人
２  耳
３  皮膚接着部材
３ａ  耳穴挿入型導電性部材
３ｂ  外耳引っ掛け型導電性部材
４  取出し用導電性部材（導線）
５  腰ベルト
６  中間固定用部材（カラビナ、フック、巻き付け具）
７  接地導電性部材
７ａ  人体側導線（第１の導線）
７ｂ  巻込・巻出部
７ｃ  接地側導線（第２の導線）
８  コンピュータ接地フレーム
９  導電性固定具（導電性フック）
１１  第１の固定具（導電性フック部材）
１２  第２の固定具（鰐口グリップ）
【図１】
2010177008.tif 000003
【図２】
2010177008.tif 000004
【図３】
2010177008.tif 000005
【図４】
2010177008.tif 000006